(57)【要約】【課題】  画像形成装置によって、複数のユーザーが集まりやすい条件（時刻、場所など）を提供する。【解決手段】  集合条件特定部４３は、モバイル端末装置１のユーザーにより登録された１または複数の関連ユーザーの属性を示す関連ユーザーデータを、モバイル端末装置１から取得し、取得した関連ユーザーデータに含まれている関連ユーザーの利用時間ログに基づいて、ログインユーザーと関連ユーザーとの提案集合時刻を特定し、表示制御部４２は、特定された提案集合時刻を操作パネル３３の表示装置に表示させる。【選択図】  図２
2016045529.tif 000002
【特許請求の範囲】
【請求項１】
複数のユーザーの複数のモバイル端末装置と、
複数の画像形成装置とを備え、
前記複数のモバイル端末装置のうちの各モバイル端末装置は、アプリケーションで、当該モバイル端末装置のユーザーにより登録された１または複数の関連ユーザーの属性を示す関連ユーザーデータを管理し、
前記複数の画像形成装置のうちの各画像形成装置は、前記モバイル端末装置から当該画像形成装置にログインしたログインユーザーの利用時間ログを記録するとともに、前記ログインユーザーの前記関連ユーザーデータを取得し、取得した前記関連ユーザーデータに含まれている各関連ユーザーの利用時間ログに基づいて特定される各関連ユーザーと前記ログインユーザーとの提案集合時刻を前記ログインユーザーに対して表示すること、
を特徴とする画像形成システム。
【請求項２】
画像形成装置において、
当該画像形成装置のログインユーザーのモバイル端末装置と通信する通信装置と、
前記ログインユーザーの利用時間ログを記録するログ管理部と、
前記モバイル端末装置のユーザーにより登録された１または複数の関連ユーザーの属性を示す関連ユーザーデータを、前記通信装置を使用して前記モバイル端末装置から取得し、取得した前記関連ユーザーデータに含まれている前記関連ユーザーの利用時間ログに基づいて前記ログインユーザーと前記関連ユーザーとの提案集合時刻を特定する集合条件特定部と、
特定された前記提案集合時刻を表示装置に表示させる表示制御部と、
を備えることを特徴とする画像形成装置。
【請求項３】
前記集合条件特定部は、他の画像形成装置における前記関連ユーザーの利用時間ログを取得し、当該画像形成装置と前記他の画像形成装置における前記関連ユーザーの利用時間ログに基づいて、前記ログインユーザーと前記関連ユーザーとの提案集合時刻および提案集合場所を特定し、
前記表示制御部は、特定された前記提案集合時刻および前記提案集合場所を表示装置に表示させること、
を特徴とする請求項２記載の画像形成装置。
【請求項４】
前記集合条件特定部は、前記ログインユーザーのスケジュールデータを、前記通信装置を使用して前記モバイル端末装置から取得し、前記関連ユーザーの利用時間ログおよび前記ログインユーザーのスケジュールデータに基づいて前記ログインユーザーと前記関連ユーザーとの提案集合時刻を特定することを特徴とする請求項２または請求項３記載の画像形成装置。
【請求項５】
前記集合条件特定部は、前記関連ユーザーデータに基づいて、所属組織が前記ログインユーザーと同一である前記関連ユーザーを特定し、前記ログインユーザーおよび前記所属組織の関連ユーザーの提案集合時刻を特定し、
前記表示制御部は、前記所属組織について特定された前記提案集合時刻を表示装置に表示させること、
を特徴とする請求項２記載の画像形成装置。
【請求項６】
前記集合条件特定部は、他の画像形成装置における前記関連ユーザーの利用時間ログを取得し、当該画像形成装置と前記他の画像形成装置における前記関連ユーザーの利用時間ログに基づいて、前記ログインユーザーおよび前記所属組織の関連ユーザーの提案集合時刻および提案集合場所を特定し、
前記表示制御部は、前記所属組織について特定された前記提案集合時刻および前記提案集合場所を表示装置に表示させること、
を特徴とする請求項５記載の画像形成装置。
【発明の詳細な説明】
【技術分野】
【０００１】
本発明は、画像形成システムおよび画像形成装置に関するものである。
【背景技術】
【０００２】
スケジュールされている会議の場所に応じた画像形成装置で、会議に必要な書類の印刷を行う技術がある（例えば特許文献１参照）。
【先行技術文献】
【特許文献】
【０００３】
【特許文献１】特開２００７−２９５２４５号公報
【発明の概要】
【発明が解決しようとする課題】
【０００４】
上述の技術では、会議などのために複数のユーザーの集まる場所が予め決定されており、その集まるユーザーのために印刷を実行しているが、複数のユーザーが集まりやすい条件（時刻、場所など）を画像形成装置がユーザーに提供することは困難である。
【０００５】
本発明は、上記の問題に鑑みてなされたものであり、複数のユーザーが集まりやすい条件（時刻、場所など）を提供可能な画像形成システムおよび画像形成装置を得ることを目的とする。
【課題を解決するための手段】
【０００６】
本発明に係る画像形成システムは、複数のユーザーの複数のモバイル端末装置と、複数の画像形成装置とを備える。前記複数のモバイル端末装置のうちの各モバイル端末装置は、アプリケーションで、当該モバイル端末装置のユーザーにより登録された１または複数の関連ユーザーの属性を示す関連ユーザーデータを管理する。前記複数の画像形成装置のうちの各画像形成装置は、前記モバイル端末装置から当該画像形成装置にログインしたログインユーザーの利用時間ログを記録するとともに、前記ユーザーの前記関連ユーザーデータを取得し、取得した前記関連ユーザーデータに含まれている各関連ユーザーの利用時間ログに基づいて特定される各関連ユーザーと前記ログインユーザーとの提案集合時刻を前記ログインユーザーに対して表示する。
【０００７】
本発明に係る画像形成装置は、当該画像形成装置のログインユーザーのモバイル端末装置と通信する通信装置と、前記ログインユーザーの利用時間ログを記録するログ管理部と、前記モバイル端末装置のユーザーにより登録された１または複数の関連ユーザーの属性を示す関連ユーザーデータを、前記通信装置を使用して前記モバイル端末装置から取得し、取得した前記関連ユーザーデータに含まれている前記関連ユーザーの利用時間ログに基づいて前記ログインユーザーと前記関連ユーザーとの提案集合時刻を特定する集合条件特定部と、特定された前記提案集合時刻を表示装置に表示させる表示制御部とを備える。
【発明の効果】
【０００８】
本発明によれば、複数のユーザーが集まりやすい条件（時刻、場所など）を画像形成装置で提供することができる。
【図面の簡単な説明】
【０００９】
【図１】図１は、本発明の実施の形態１に係る画像形成システムの構成を示すブロック図である。
【図２】図２は、図１におけるモバイル端末装置１および画像形成装置２の構成を示すブロック図である。
【図３】図３は、図２における関連ユーザーデータ２３の一例を示す図である。
【図４】図４は、利用状況データの一例を示す図である。
【図５】図５は、実施の形態１における画像形成装置２の動作を説明するフローチャートである。
【図６】図６は、図１および図２に示す画像形成装置２において、ログイン後の初期画面に表示される関連ユーザーについての提案集合時刻の一例を示す図である。
【図７】図７は、図１および図２に示す画像形成装置２において、提案集合時刻と提案集合場所を表示する画面の一例を示す図である。
【図８】図８は、図１および図２に示す画像形成装置２において、提案集合時刻に日にちを付加した提案集合条件を表示する画面の一例を示す図である。
【図９】図９は、図１および図２に示す画像形成装置２において、各画像形成装置２の機器ＩＤが表示された装置マップの一例を示す図である。
【図１０】図１０は、図１および図２に示す画像形成装置２において表示される、所属組織についての提案集合条件の一例を示す図である。
【発明を実施するための形態】
【００１０】
以下、図に基づいて本発明の実施の形態を説明する。
【００１１】
実施の形態１．
【００１２】
図１は、本発明の実施の形態１に係る画像形成システムの構成を示すブロック図である。図１に示すシステムでは、複数のユーザーが、スマートフォンなどのモバイル端末装置１をそれぞれ携帯しており、さらに、複数の画像形成装置２（複合機、コピー機など）が、拠点の敷地内に点在している。例えば、複数の画像形成装置２が、大学の敷地内に設置されており、複数の学生がモバイル端末装置１をそれぞれ携帯している。
【００１３】
画像形成装置２は、ネットワーク３に接続されている。さらに、実施の形態１では、管理サーバー４が、ネットワーク３に接続されている。ネットワーク３は、構内ＬＡＮ（Local Area Network）、インターネットなどであり、ネットワーク３において、画像形成装置２は、他の画像形成装置２および管理サーバー４との間でデータ通信を行うことができるように設定されている。
【００１４】
図１に示すシステムでは、ユーザーは、例えば近距離無線通信を使用して、モバイル端末装置１を使用して最寄の画像形成装置２にログインすることが可能となっている。
【００１５】
図２は、図１におけるモバイル端末装置１および画像形成装置２の構成を示すブロック図である。
【００１６】
モバイル端末装置１は、例えばスマートフォンなどのポータブルデバイスであって、無線通信装置１１、記憶装置１２、演算処理装置１３などを有する。
【００１７】
無線通信装置１１は、無線ＬＡＮ（Local Area Network）、ブルートゥース（登録商標）などの所定の無線通信規格でデータ通信を行う内部装置である。
【００１８】
記憶装置１２は、フラッシュメモリー、ハードディスクなどの不揮発性の記憶装置である。記憶装置１２には、プログラム２１などが記憶されている。
【００１９】
演算処理装置１３は、ＣＰＵ（Central Processing Unit）、ＲＡＭ（Random Access Memory）、ＲＯＭ（Read Only Memory）などを有するコンピューターであり、プログラム２１をＲＡＭにロードしＣＰＵで実行することで、アプリケーション２２を実現する。
【００２０】
アプリケーション２２は、無線通信装置１１で、画像形成装置２へログインするためのログイン機能、当該モバイル端末装置１の所有者であるユーザーにより登録された１または複数の関連ユーザーの属性を示す関連ユーザーデータ２３を管理する関連ユーザー管理機能、並びに当該モバイル端末装置１の所有者であるユーザーのスケジュールを示すスケジュールデータ２４を管理するスケジュール管理機能を備える。
【００２１】
なお、この実施の形態では、関連ユーザーデータ２３およびスケジュールデータ２４は、当該モバイル端末装置１の記憶装置１２に格納されているが、管理サーバー４に格納され、当該モバイル端末装置１から管理サーバー４に格納されている関連ユーザーデータ２３およびスケジュールデータ２４にアクセスするようにしてもよい。つまり、管理サーバー４によるクラウドサービスで、当該モバイル端末装置１に、関連ユーザー管理機能およびスケジュール管理機能を提供するようにしてもよい。
【００２２】
図３は、図２における関連ユーザーデータ２３の一例を示す図である。図３に示す例では、関連ユーザーデータ２３には、所有者ユーザーおよび関連ユーザーのそれぞれについて所有者ユーザーとの関係、所属学部および身分の他、所属組織として、所属ゼミ・研究室、所属クラブ、および所属サークルが登録されている。
【００２３】
一方、図２において、画像形成装置２は、登録された複数のユーザーにより使用される複合機などであって、印刷装置３１、画像読取装置３２、操作パネル３３、無線通信装置３４、有線通信装置３５、記憶装置３６、およびコントローラー３７を有する。
【００２４】
印刷装置３１は、印刷画像データに基づいて１ページずつ画像を印刷用紙に電子写真方式で印刷する内部装置である。
【００２５】
画像読取装置３２は、原稿から原稿画像を読み取り、その画像データ（つまり、スキャンデータ）を生成する内部装置である。
【００２６】
操作パネル３３は、画像形成装置２の筐体表面に配置され、ユーザーに対して各種情報を表示する表示装置と、ユーザー操作を受け付ける入力装置とを有する。表示装置としては例えば液晶ディスプレイが使用される。入力装置としては、キースイッチ、タッチパネルなどが使用される。
【００２７】
無線通信装置３４は、無線ＬＡＮ、ブルートゥース（登録商標）などの所定の無線通信規格でデータ通信を行う内部装置である。有線通信装置３５は、有線ＬＡＮなどのネットワークに接続され、そのネットワークに接続された他の装置とデータ通信を行う回路である。画像形成装置２がモバイル端末装置１と通信を行う場合、画像形成装置２がモバイル端末装置１と無線通信装置３４で直接、通信を行うようにしてもよいし、図示せぬ中継機器を介して、無線通信装置３４または有線通信装置３５で通信を行うようにしてもよい。
【００２８】
また、記憶装置３６は、フラッシュメモリー、ハードディスクなどの不揮発性の記憶装置である。記憶装置３６には、プログラム４１などが記憶されている。
【００２９】
また、コントローラー３７は、コンピューター、ＡＳＩＣ（Application Specific Integrated Circuit）などを有し、画像形成装置１内の内部装置を制御する。コントローラー３７は、コンピューターでプログラム４１を実行することで、表示制御部４２、集合条件特定部４３、およびログ管理部４４を実現する。
【００３０】
表示制御部４２は、操作パネル３３の表示装置に各種操作画面を表示させる。
【００３１】
集合条件特定部４３は、ログイン時に、ログインユーザーについての関連ユーザーデータを、無線通信装置３４等を使用して、モバイル端末装置１から取得し、取得した関連ユーザーデータに含まれている関連ユーザーを特定し、特定した関連ユーザーの利用時間ログを取得し、取得したログに基づいてログインユーザーと関連ユーザーとの提案集合時刻を特定する。特定された提案集合時刻は、表示制御部４２によって、操作パネル３３の表示装置に表示される。
【００３２】
実施の形態１では、取得した関連ユーザーデータに含まれているすべての関連ユーザーについて、特定された提案集合時刻が、操作パネル３３の表示装置に表示される。
【００３３】
また、特定された提案集合時刻は、ログイン後の初期画面において表示されたり、印刷実行中に表示されたりする。
【００３４】
また、操作パネル３３に対する所定のユーザー操作が検出されると、集合条件特定部４３は、（ａ）他の画像形成装置２（つまり、ログインユーザーがログインした画像形成装置２以外のシステム内の画像形成装置２）における関連ユーザーの利用時間ログを取得し、（ｂ）当該画像形成装置２と他の画像形成装置２における関連ユーザーの利用時間ログに基づいて、ログインユーザーと関連ユーザーとの提案集合時刻および提案集合場所を特定する。特定された提案集合場所は、特定された提案集合時刻とともに操作パネル３３の表示装置に表示される。
【００３５】
なお、実施の形態１では、集合条件特定部４３は、他の画像形成装置２における関連ユーザーの利用時間ログは、管理サーバー４から取得する。
【００３６】
さらに、集合条件特定部４３は、ログインユーザーのスケジュールデータを、無線通信装置３４を使用してモバイル端末装置１から取得し、関連ユーザーの利用時間ログおよびログインユーザーのスケジュールデータに基づいて、関連ユーザーとの提案集合時刻を特定する。例えば、ログインユーザーのスケジュールデータにおいて、その提案集合時刻において予定のない日にちのうち、当日または当日に最も近い日が選択され、提案集合時刻として、選択された日のその時刻が特定される。
【００３７】
また、実施の形態１では、例えば、管理サーバー４が、各ユーザーのスケジュールデータを管理し、集合条件特定部４３は、関連ユーザーのスケジュールデータを管理サーバー４から取得し、関連ユーザーの利用時間ログ、並びにログインユーザーおよび関連ユーザーのスケジュールデータに基づいて、ログインユーザーと関連ユーザーとの提案集合時刻を特定するようにしてもよい。例えば、ログインユーザーおよび関連ユーザーの両方のスケジュールデータにおいて、その提案集合時刻において予定のない日にちのうち、当日または当日に最も近い日が選択され、提案集合時刻として、選択された日のその時刻が特定される。
【００３８】
さらに、操作パネル３３に対する所定のユーザー操作が検出されると、集合条件特定部４３は、関連ユーザーデータに基づいて、所属組織がログインユーザーと同一である関連ユーザーを特定し、ログインユーザーおよび所属組織の関連ユーザーの提案集合時刻を特定する。所属組織について特定された提案集合時刻は、表示制御部４２によって、操作パネル３３の表示装置に表示される。
【００３９】
また、集合条件特定部４３は、他の画像形成装置２における関連ユーザーの利用時間ログを取得し、当該画像形成装置２と他の画像形成装置２における関連ユーザーの利用時間ログに基づいて、ログインユーザーおよび所属組織の関連ユーザーの提案集合時刻および提案集合場所を特定する。所属組織について特定された提案集合時刻および提案集合場所は、表示制御部４２によって、操作パネル３３の表示装置に表示される。
【００４０】
ログ管理部４４は、ログインユーザーの利用時間ログをログデータとして記録する。ログデータは、例えば記憶装置３６に格納されるとともに、管理サーバー４へ送信され、管理サーバー４において、当該画像形成装置２の機器ＩＤおよびログインユーザーのユーザーＩＤに関連付けて記憶される。
【００４１】
なお、利用時間ログは、例えば、ログインユーザーのユーザーＩＤとともに、利用開始時刻（つまりログイン時刻）と利用終了時刻（つまりログアウト時刻）を含む。そして、その利用時間ログに基づいて、利用状況データが計算される。図４は、利用状況データの一例を示す図である。図４に示す例では、利用状況データは、当該画像形成装置２にログインしたユーザーのユーザーＩＤ、並びにそのユーザーＩＤに関連付けられた最新利用日時、高頻度利用時刻、および利用回数を含む。なお、高頻度利用時刻は、利用時間ログにおいて、そのユーザーＩＤのユーザーが利用している頻度が最も高い時刻である。また、利用回数は、最近１ヶ月などの所定の期間における利用回数を示している。
【００４２】
次に、実施の形態１に係る画像形成システムにおける各装置の動作について説明する。図５は、実施の形態１における画像形成装置２の動作を説明するフローチャートである。
【００４３】
このシステムでは、各ユーザーがモバイル端末装置１を使用して、いずれかの画像形成装置２にログインを行うと、ログ管理部４４によって利用時間ログが記録され、利用時間ログに基づいて利用状況データが更新される。
【００４４】
そして、あるユーザーが、モバイル端末装置１を使用して、ある画像形成装置２にログインすると（ステップＳ１）、集合条件特定部４３は、そのモバイル端末装置１のアプリケーションと通信し、関連ユーザーデータおよびスケジュールデータを取得する（ステップＳ２）。
【００４５】
次に、集合条件特定部４３は、取得した関連ユーザーデータに含まれている関連ユーザーを特定し、特定した各関連ユーザーの利用状況データを抽出し（ステップＳ３）、各関連ユーザーについての提案集合時刻を特定する。ここでは、上述の高頻度利用時刻が提案集合時刻として使用される。
【００４６】
そして、表示制御部４２は、特定された各関連ユーザーについての提案集合時刻の表示を開始する（ステップＳ４）。
【００４７】
図６は、図１および図２に示す画像形成装置２において、ログイン後の初期画面に表示される関連ユーザーについての提案集合時刻の一例を示す図である。
【００４８】
図６に示す画面では、３人の関連ユーザーについての提案集合時刻（つまり、この画像形成装置２周辺を集合場所とした集合時刻）が表示されている。また、各関連ユーザーに対して、システム内の別の画像形成装置２での利用状況を表示するためのソフトキー１０１が表示されている。さらに、関連ユーザーとログインユーザーとに共通な所属組織についての提案集合時刻および提案集合場所を表示するためのソフトキー１０２，１０３が表示されている。
【００４９】
例えば、ソフトキー１０１が押下されると（ステップＳ５）、集合条件特定部４３は、そのソフトキー１０１に対応する関連ユーザーを特定し、特定した関連ユーザーについての、他の画像形成装置２における利用状況データ（あるいは利用時間ログ）を管理サーバー４から取得し、取得した利用状況データ（あるいは利用時間ログ）に基づいて、システム内のすべての画像形成装置２での提案集合時刻および利用回数を特定する。さらに、集合条件特定部４３は、特定した利用回数のうちの最大値の画像形成装置２を特定し、提案集合時刻として、その最大値の画像形成装置２についての提案集合時刻を使用するとともに、その最大値の画像形成装置２の周辺を提案集合場所とする。そして、表示制御部４２は、このようにして特定された提案集合時刻と提案集合場所を操作パネル３３の表示装置に表示させる（ステップＳ６）。
【００５０】
図７は、図１および図２に示す画像形成装置２において、提案集合時刻と提案集合場所を表示する画面の一例を示す図である。
【００５１】
図７に示す例は、図６において関連ユーザー「中田さん」のソフトキー１０１が押下された場合を示しており、装置マップとともに、４台の画像形成装置２に対応する位置に、各画像形成装置２での関連ユーザー「中田さん」の利用回数と提案集合時刻が表示され、さらに、提案集合条件（提案集合時刻「１０：５０」と提案集合場所「ＫＤＣＸ２の周辺」）が表示されている。なお、装置マップの画像データは、当該画像形成装置２または管理サーバー４に格納されており、その画像データが取得され、画像データに基づき装置マップが表示される。また、ＫＤＣＸ２は、最も利用回数が多かった画像形成装置２の機器ＩＤである。
【００５２】
さらに、図７に示す画面では、提案集合時刻「１０：５０」について日にちも表示するためのソフトキー２０１と、装置マップ内の各画像形成装置２の機器ＩＤを表示するためのソフトキー２０２が表示されている。
【００５３】
ソフトキー２０１が押下されると、集合条件特定部４３は、ログインユーザーのスケジュールデータと関連ユーザーのスケジュールデータを参照し、両者において、特定した提案集合時刻「１０：５０」から所定時間（例えば１時間）以内の期間に予定が入っていない直近の日にちを特定し、表示制御部４２は、特定された日にちを提案集合時刻に付加して表示装置に表示させる。図８は、図１および図２に示す画像形成装置２において、提案集合時刻に日にちを付加した提案集合条件を表示する画面の一例を示す図である。図８に示す例では、日にち「１２／１９（木）」が追加されている。
【００５４】
また、ソフトキー２０２が押下されると、表示制御部４２は、装置マップ内の各画像形成装置２の機器ＩＤを表示する。図９は、図１および図２に示す画像形成装置２において、各画像形成装置２の機器ＩＤが表示された装置マップの一例を示す図である。
【００５５】
他方、図６に示す画面において、例えばソフトキー１０３が押下されると（ステップＳ７）、集合条件特定部４３は、関連ユーザーのうち、ログインユーザーと共通のゼミに所属している者を特定し、特定した関連ユーザーの全画像形成装置２での高頻度利用時刻および利用回数が最大である画像形成装置２を特定し、例えば、（ａ）所定の長さの時間範囲内に含まれる高頻度利用時刻が最も多くなる場合を特定し、その場合においてその時間範囲内に含まれる高頻度利用時刻の平均時刻を提案集合時刻とし、（ｂ）利用回数が最大である画像形成装置２が同一である関連ユーザーの数が最も多い画像形成装置２の周辺を提案集合場所とする。
【００５６】
図１０は、図１および図２に示す画像形成装置２において表示される、所属組織についての提案集合条件の一例を示す図である。例えば、図１０に示す場合、１５分の時間範囲に含まれる関連ユーザー「福本さん」の高頻度利用時刻「１５：３５」と関連ユーザー「奥さん」の高頻度利用時刻「１５：２５」の平均時刻である「１５：３０」が提案集合時刻とされている。
【００５７】
なお、全画像形成装置２での高頻度利用時刻は、例えば、管理サーバー４または画像形成装置において、すべての画像形成装置２の利用時間ログから特定される。
【００５８】
そして、表示制御部４２は、このようにして特定された提案集合時刻と提案集合場所を操作パネル３３の表示装置に表示させる（ステップＳ８）。
【００５９】
なお、上述した画面の表示は、例えば所定のユーザー操作が検出された際に終了する（ステップＳ９）。
【００６０】
以上のように、上記実施の形態１によれば、集合条件特定部４３は、モバイル端末装置１のユーザーにより登録された１または複数の関連ユーザーの属性を示す関連ユーザーデータを、モバイル端末装置１から取得し、取得した関連ユーザーデータに含まれている関連ユーザーの利用時間ログに基づいて、ログインユーザーと関連ユーザーとの提案集合時刻を特定し、表示制御部４２は、特定された提案集合時刻を操作パネル３３の表示装置に表示させる。
【００６１】
これにより、ログインユーザーを含む複数のユーザーが集まりやすい条件（時刻、場所など）が画像形成装置２によってログインユーザーに提供される。
【００６２】
実施の形態２．
【００６３】
実施の形態２に係る画像形成システムは、実施の形態１に係る画像形成システムと同様のモバイル端末装置１および画像形成装置２を備える。ただし、管理サーバー４は設けられない。そして、管理サーバー４で管理される上述のデータを画像形成装置２が互いに送受し管理することで、管理サーバー４が不要となっている。画像形成装置２のその他の構成および動作については実施の形態１の場合と同様であるので、その説明を省略する。
【００６４】
なお、上述の各実施の形態は、本発明の好適な例であるが、本発明は、これらに限定されるものではなく、本発明の要旨を逸脱しない範囲において、種々の変形、変更が可能である。
【００６５】
例えば、上記実施の形態１，２において、各ユーザーの印刷内容を、ＯＣＲ（Optical Character Recognition）技術およびキーワードマッチングなどを使用して、例えば所属ゼミ・研究室、所属クラブなどの所属組織種別ごとに分類し、集合条件を提案すべき所属組織の種別について利用回数が多かった画像形成装置２の周辺を提案集合場所としてもよい。
【００６６】
また、上記実施の形態１，２において、所属組織についての提案集合時刻を、ユーザーのスケジュールにおけるその所属組織の予定に基づいて決定するようにしてもよい。例えば、所属クラブについての提案集合時刻は、ユーザーのスケジュールにおける所属クラブの予定の前または後の時刻に決定するようにしてもよい。
【００６７】
また、上記実施の形態１，２において、利用時間ログおよび利用状況データに対して各ユーザーについて、そのユーザーが値を設定可能な共有設定データを設け、共有設定データの値が共有の許可を示していないユーザーについては、画像形成装置２において、関連ユーザーデータに含まれる関連ユーザーから除外するようにしてもよい。
【産業上の利用可能性】
【００６８】
本発明は、例えば、学校内に配置される画像形成装置に適用可能である。
【符号の説明】
【００６９】
１  モバイル端末装置
２  画像形成装置
２２  アプリケーション
２３  関連ユーザーデータ
３３  操作パネル（表示装置の一例）
３４  無線通信装置（通信装置の一例）
４２  表示制御部
４３  集合条件特定部
４４  ログ管理部
【図１】
2016045529.tif 000003
【図２】
2016045529.tif 000004
【図３】
2016045529.tif 000005
【図４】
2016045529.tif 000006
【図５】
2016045529.tif 000007
【図６】
2016045529.tif 000008
【図７】
2016045529.tif 000009
【図８】
2016045529.tif 000010
【図９】
2016045529.tif 000011
【図１０】
2016045529.tif 000012